(57)【特許請求の範囲】
【請求項１】
フロントガラス３０に使用するフロントガラス修理装置において、このフロントガラス修理装置２０は、吸着カップ２４を有するブリッジ部２２を備え、前記吸着カップは、前記ブリッジ部２２をフロントガラスに取り付けるため前記ブリッジ部から延びており、
前記ブリッジ部２２と前記吸着カップ２４の接合により取り付け位置を形成し、前記ブリッジ部２２は、軸旋回可能に取り付けた腕部５０を備え、
前記腕部５０はインジェクター保持部を形成すると共に、前記腕部５０は、軸部７８の周りに元の位置と回転位置との間で回転可能であり、前記ブリッジ部２２は、前記軸旋回可能に取り付けた腕部５０を前記回転位置から前記元の位置に戻ることを可能とするため、前記軸旋回可能な腕部５０に取り付け可能な位置決めシステム７６を備え、
前記軸旋回可能に取り付けた腕部５０の前記回転位置から前記元の位置への回転に基づいて、前記位置決めシステム７６が前記腕部５０にかみ合って前記腕部を前記元の位置に固定し、
前記軸旋回可能に取り付けた腕部５０は、後端部と、この腕部の後端部に配置された前記位置決めシステム７６とを含んでおり、
前記腕部５０の前記軸部は、前記ブリッジ部２２の取り付け位置と前記腕部５０の前記インジェクター保持部との間に配置され、
前記腕部５０の前記軸部７８と前記吸着カップ２４の中央軸はほぼ並列であり、
前記位置決めシステムは、前記軸を横断する方向に移動可能なボールプランジャーを備えていることを特徴とするフロントガラス修理装置。
【請求項２】
請求項１に記載のフロントガラス修理装置において、さらに、前記吸着カップ２４に取り付けられた真空ポンプ９０を備えていることを特徴とするフロントガラス修理装置。
【請求項３】
請求項１に記載のフロントガラス修理装置において、さらに、前記インジェクター保持部５０に取り付けたインジェクター２６を備えていることを特徴とするフロントガラス修理装置。
【請求項４】
請求項３に記載のフロントガラス修理装置において、前記インジェクター２６は、先端部１０２から反対側端部１０４まで延びた本体部１００であって、前記本体部は外側面１０６と、内部通路を形成する内側面１１７を有しているものと、前記先端部１０２に配置されかつ部分的に前記内部通路内に配置された弾性の付属品１１８と、前記内部通路の反対側端１０４を閉じた少なくとも１つの通路を備えた弾性のストッパー１２０とを備えており、前記弾性ストッパーは、前記本体部内に配置された周辺リップシール１３０を備えていることを特徴とするフロントガラス修理装置。
【請求項５】
請求項４に記載のフロントガラス修理装置において、前記ストッパー１２０は少なくとも２つの通路を備えており、前記ストッパーを貫通する１の通路１２５は前記ストッパーの中央に配置され、他の１の通路１２６はオフセットされており、前記オフセットされた通路はニップル１２８を含んでいることを特徴とするフロントガラス修理装置。
【請求項６】
請求項１に記載のフロントガラス修理装置において、前記ブリッジ部は側面を有する基部４０を備え、
前記軸旋回可能に取り付けた腕部５０は、インジェクター保持部を形成する正面端部５２と前記後方ハンドル部６０を備え、前記正面端部５２と前記後方ハンドル部６０は第２の軸に対して一線上に並んでおり、
前記第２の軸は前記吸着カップと前記ブリッジ部の取り付け可能な位置から径方向の外側に延びており、
前記後方ハンドル部６０は側面を有し、前記腕部５０が、前記腕部５０の前記後方ハンドル部６０の側面と前記ブリッジ部２２の前記基部４０の側面が一致するような元の位置にあるとき、前記後方ハンドル部６０は前記ブリッジ部２２の前記基部４０の上に隣接して位置し、
前記腕部の第１の軸部は、前記ブリッジ部２２の取り付け位置と前記腕部５０の前記インジェクター保持部との間に配置され、
前記後方ハンドル部が前記腕部の前記第１の軸部から前記ブリッジ部２２の前記取り付け位置に向かって延びており、前記軸旋回可能に取り付けた腕部５０の前記後方ハンドル部６０の前記回転位置から前記元の位置への回転に基づいて、前記位置決めシステム７６が前記腕部にかみ合って、前記腕部を前記腕部の前記後方ハンドル部６０の側面がブリッジ部２２の基部４０の側面と一致する前記元の位置に固定していることを特徴とするフロントガラス修理装置。
【請求項７】
請求項６に記載のフロントガラス修理装置において、前記軸旋回可能に取り付けた腕部５０は、前記インジェクター保持部を形成する正面端部５２を備え、この正面端部は、第２の軸の周りに、腕部の残り部分に対して回転可能であり、この正面端部は、概ね前記吸着カップ２４が面する方向に近接及び離反して回転可能である。
【請求項８】
請求項７に記載のフロントガラス修理装置において、さらに、前記腕部の前記残り部分に対して前記腕部の正面端部を選択的に配置するための、ネジが切られた調整機構を備えていることを特徴とするフロントガラス修理装置。
【請求項９】
請求項８に記載のフロントガラス修理装置において、前記調整機構７６は、フロントガラスから離れる方向に前記正面端部をバイアスするバネを備えていることを特徴とするフロントガラス修理装置。
【請求項１０】
請求項１に記載のフロントガラス修理装置において、前記ブリッジ部は、前記軸旋回可能に取り付けた腕部を前記ブリッジ部の残りの部分に選択的に留めるための開放可能なクランプ部を備えていることを特徴とするフロントガラス修理装置。
【請求項１１】
フロントガラス３０に使用するフロントガラス修理装置において、このフロントガラス修理装置２０は、吸着カップ２４を有するブリッジ部２２を備え、前記吸着カップ２４は、前記ブリッジ部２２をフロントガラスに取り付けるため前記ブリッジ部２２から延びており、
前記ブリッジ部２２と前記吸着カップ２４との接合により取り付け位置を形成し、前記ブリッジ部２２は、前記軸旋回可能に取り付けた腕部５０を備え、
前記腕部５０は、インジェクター保持部を形成する正面端部５２を有し、前記腕部は、軸部７８の周りに元の位置と回転位置との間で回転可能であり、前記ブリッジ部２２は、前記軸旋回可能に取り付けた腕部を前記回転位置から前記元の位置に戻ることを可能とするため、前記軸旋回可能な腕部に取り付け可能な位置決めシステム７６を備え、
前記軸旋回可能に取り付けた腕部５０の前記回転位置から前記元の位置への回転に基づいて、前記位置決めシステム７６が前記腕部にかみ合って前記腕部５０を前記元の位置に固定し、
前記軸旋回可能に取り付けた腕部５０は、さらに、後方ハンドル部６０と後端部を備え、前記腕部５０の回転軸はブリッジ部２２の取り付け位置と前記腕部５０の前記インジェクター保持部との間に配置され、前記ブリッジ部２２は側面を有する基部４０を備え、前記軸旋回可能に取り付けた腕部５０は前記ブリッジ部の前記基部４０に接続し、前記軸旋回可能に取り付けた腕部５０の前記正面端部５２と前記後方ハンドル部６０は、前記腕部の軸部７８に対して一線上に並んでおり、前記後方ハンドル部６０は、側面を有し、前記腕部５０が、前記腕部５０の前記後方ハンドル部６０の側面と前記ブリッジ部２２の前記基部４０の側面が一致するような前記元の位置にあるとき、前記後方ハンドル部６０は前記ブリッジ部２２の前記基部４０の上に隣接して位置されることを特徴とするフロントガラス修理装置。
【発明の詳細な説明】
発明の技術分野：
本発明は、フロントガラスの破損を修理する装置や方法に関する。
発明の背景：
車両のフロントガラスは、時々、例えば物がフロントガラスに衝突することによりしばしば破損する。命中による円窓状の破損は、安全ガラス（合わせガラス）の外側層（外側ガラス）が、反転した円錐形状に破損を受けた場合に生じる。他の破損形状や割れは、この円窓状の破損に加えて、あるいは、これに代わって引き起こされ得る。安全ガラスの内側層は、概して、破壊されない。１９８１年９月２９日付で発行された米国特許第４，２９１，８６６号の開示内容でここで引用すると、この米国特許は車両のフロントガラスにおける破損を修理するのに使用可能な装置を示している。この装置は、フロントガラスに対してインジェクターを固定するために保持する保持装置を備えており、もって、補修材料が破損跡に注入される。この装置で修理したフロントガラスは、非常に値段がかかるので、時間はかかるがフロントガラスを全面交換する方が好ましい。
フロントガラスの修理に関連して種々の問題点が挙げられる。ある分野の問題点は、フロントガラス修理装置の使用の容易さに関連する。特に、修理箇所を準備する際の容易さと補修材を塗布する際の容易さが問題となる。補修材を塗布するために修理箇所に近づくことや、破損した箇所や補修材から不純物（例えば、空気、水分、塵など）を取り除くことも問題となる。視認しながら近づくことが好ましい。加えて、大気圧以上の圧力や大気圧以下の圧力を破損箇所に加えることも好ましい。また、破損箇所部分に機械的に取り付くことが好ましい。修理方法の目標は、修理箇所を視覚的にも実質的に見えないようにすることである。
従来技術においては、上記の問題点や他の問題点を処理する必要性があった。
発明の概要
本発明は、インジェクターをフロントガラスの破損領域に隣接して保持するための支持装置又はブリッジ部を備えたフロントガラスの修理装置に関している。このブリッジ部は、フロントガラスにブリッジ部を取り付けるたための吸着カップを備えている。一の好適なブリッジ部は、前記インジェクターを破損領域から離れるように移動することを可能にするために移動可能に取り付けられた腕部と、前記インジェクターを前記破損領域に向けて移動して戻すことに続いて、前記インジェクターを前記破損領域の上に正確に再配置するこを可能にする位置決めシステムとを備えている。好ましくは、この腕部は、前記ブリッジ部の残りの部分に回転可能に取り付けられている。また、好ましくは、この腕部は、例えば、破損領域を検査する目的で、前記フロントガラスに対してほぼ平行に移動することが出来る。一の好適な実施例では、前記腕部を前記ブリッジ部の残りの部分に開放可能に留めるためのクランプ部を備えている。
一の好適な位置決めシステムは、前記軸旋回が可能に取り付けられた腕部と前記ブリッジ部の残りの部分との間に、ボールプランジャーと戻り止めを取り付けた構成を備えている。このボールプランジャーと戻り止めの構成のための好適な一の配置は、前記腕部の回転軸に隣接したほぼ平坦な表面の間である。好適な吸着カップは、その吸着カップの下部から空気を引き抜くための真空ポンプを備えている。
本発明の好ましいインジェクターは、液体樹脂を保持するための内部通路を形成する本体部を備えている。この本体部分の外表面には、ショルダー部を備えている。本体部の第１の端部には、弾性の付属品を備えている。本体部の反対側端部は、開放端部となっている。ストッパーが本体部の開放端部によって受容されている。クリップ部が、インジェクターの本体部のショルダー部に留められて、ストッパー部を本体部に固定している。好適なクリップ部は、２つの突出した腕部と、弾性の連結部分と、そして、少なくとも１つの内側に突出したフランジ部をクリップ部の対向する端部に備えている。これらの内側に突出したフランジ部は、ストッパー部と本体部のショルダー部の外側に配置される。好適には、このクリップ部は、つまみ又はハンドルを備えている。一の好適なインジェクターでは、インジェクターを前記ブリッジ部に取り付け、第２のショルダー部を、前記第１のショルダーから距離をとって前記ブリッジ部から離して配置するために、バイオネット(bayonet)取り付け構造を備えている。その替わりに、このインジェクターは、前記ブリッジ部に直接的に取り付けてもよい。
好適なストッパー部は、本体部によって受容されるストッパー部の第１の端部に周辺リップシール部を備えている。このストッパー部は、また、好適には、２つの通路を備えており、一方はストッパー部の中央部に、他方はオフセットされている。
本発明は、また、フロントガラスの修理装置の使用方法であって、吸着カップによってフロントガラス修理装置をフロントガラスに取り付ける行程と、インジェクターを含んだ腕部をフロントガラス修理装置の残りの部分に対して回転する行程と、前記腕部を位置決めシステムから開放する行程と、前記腕部を回転して元の位置に戻す行程と、そして、前記位置決めシステムを再び取り付ける行程を備えている。好適な方法では、さらに、前記腕部を元の位置から回転する前に、前記腕部を留めているクリップ部を開放する行程を含んでいる。また、前記腕部の一の好適な移動方向は、フロントガラスにほぼ並列である。
さらに方向の装置の好ましい実施例によれば、移動可能に取り付けられた腕部の一端に配置された位置決めシステムを含んでいる。好ましくは、この位置決めシステムは、前記腕部の回転軸に横断的な方向に働くボールプランジャーと戻り止めを搭載した構成を備えている。
さらに好ましい実施例によれば、必要に応じてインジェクターをフロントガラスに接近しそして離反して軸旋回可能にするための、移動可能に取り付けた腕部における軸旋回可能に取り付けた正面端部を含んでいる。好ましくは、この軸旋回可能に取り付けた正面端部は、ネジによって調整が可能である。かかる調整可能な軸旋回的な取り付け構造は、異なる湾曲量を有するフロントガラスに対して前記装置を適用するのに有用である。好適な実施例によれば、必要に応じて正面端部をフロントガラスに近接しそして離反して移動するため、腕部上で回転可能なノブを含んだ、バネでバイアスしてネジが切られた調整機構を含んでいる。
さらに、好適な実施例によれば、可動な腕部を基部にネジで取り付ける、自動的に締まるネジを含んでいる。スラストベアリングが、前記基部と可動な腕部との間に配置されている。
本発明によれば、更に他の方法として、フロントガラス修理装置を吸着カップによってフロントガラスに取り付け、前記修理装置の腕部正面端部を、必要に応じてフロントガラスに接近しあるいは離反してフロントガラスに対して回転することが提供されている。
【図面の簡単な説明】
図１は、本発明になるフロントガラス修理装置の第１の実施例の斜視図であり；
図２は、図１のブリッジ部の左端面図であり；
図３は、図１のブリッジ部の右端面図であり；
図４は、反対側も同様な、図１のブリッジ部の側面図であり；
図５は、図１のブリッジ部における上面図であり；
図６は、図１のブリッジ部における底面図であり；
図７は、インジェクター環部（カラー）からインジェクターを取り外したブリッジ部とインジェクター環部（カラー）の内部を示す、図１のフロントガラス修理装置の側面図であり；
図８は、図７のフロントガラス修理装置の左端面図であり；
図９は、図７のフロントガラス修理装置の上面図であり；
図１０は、図１のブリッジ部の基部の側面図であり；
図１１は、図１０の基部の上面図であり；
図１２は、図１０の基部の左端面図であり；
図１３は、図１のブリッジ部の腕部の側面図であり；
図１４は、図１３の腕部の上面図であり；
図１５は、図１３の腕部の左端面図であり；
図１６は、インジェクターの止め部の断面側面図であり；
図１７は、インジェクターの本体部の側面図であり；
図１８は、インジェクターのクリップ部の側面図であり；
図１９は、図１８のクリップ部の上面図であり；
図２０は、図１８のクリップ部の底面図であり；
図２１は、フロントガラスの破損領域の修理に使用中の図１のフロントガラス修理装置の正面を示し；
図２２は、反対側もほぼ同様な、本発明になるフロントガラス修理装置の第２の実施例の側面図であり；
図２３は、インジェクターを取り外した図２２のブリッジ部の上面図であり；
図２４は、図２２のブリッジ部の左側面図であり；
図２５は、図２２のブリッジ部の右側面図であり；
図２６は、図２２のブリッジ部の底面図であり；
図２７は、インジェクターの下が湾曲部分となっているフロントガラスに向けてその正面を回転した、図２２に示した装置の側面図であり；
図２８〜３０は、それぞれ、図２２の装置の上面図、側面図、そして、左側端面図であり；
図３１〜３３は、それぞれ、図２２の装置の腕部のハンドル部の底面図、側面図、そして、左側端面図であり；
図３４〜３６は、それぞれ、図２２の装置の腕部の上面図、側面図、そして、左側端面図であり；そして、
図３７は、図２２の装置を上側方の右端から見たの斜視図面図である。
発明の詳細な説明
まず、図１を参照して、フロントガラス修理装置２０の第１の実施例を説明する。この装置２０は、弾性の吸着カップ２４によってフロントガラス３０の表面２８に取り付いている支持装置又はブリッジ部２２を備えている。吸着カップ２４はブリッジ部２２をフロントガラス３０上に保持（支持）している。ブリッジ部２２は、紫外線硬化可塑性樹脂を注入・塗布するため、インジェクター２６をフロントガラス３０内の破損領域に隣接して保持している。加えて、インジェクター２６は、大気圧よりも高く又は低い空気圧を、破損領域に印加することが出来る。さらに、インジェクター２６は、圧力（＋又は−）及び／又は補修材に印加の最中における修理を容易にするため、破損領域に機械的に取り付くようにして工具の使用を容易にしている。
図２〜１２を参照して、ブリッジ部２２は基部４０を備えており、この基部４０は４個のネジ４２により吸着カップ２４に取り付けられている。ネジ４２は、基部４０の開口部４５を通って吸着カップ２４の上面のネジ切りされた開口にネジ留めされている。
さて、図２〜９及び図１３〜１５を参照して、基部４０には軸旋回可能にインジェクター保持部又は腕部５０が取り付けられており、このインジェクター保持部又は腕部５０は、ネジ切りされた開口５４を備えた正面端部５２を有している。この腕部５０の中央部５６には、クランプ機構６４の軸部７０を受容する開口部５８を備えている。軸部７０は、基部４０のネジ切りされた開口４４に螺合している。クランプ機構６４のハンドル部７２を回転することにより、腕部５０は基部４０に対して回転が可能となったり、あるいは、摩擦により基部４０にクランプする（締め付ける）ことが出来る。腕部５０の正面端部５２とは反対側には、腕部５０を回転させるのに使用されるハンドル又はレバー部６０が突出している。使用する際、使用者はハンドル部６０を移動して腕部５０を軸部７８の周りに回転する。軸部７８はフロントガラス３０に対して略直角になっている。図９の矢印Ａは、腕部５０が回転し得る方向を示している。
ブリッジ部２２は、位置合わせシステム７６を備えており、もって腕部５０と基部４０との相対的な回転に追従して腕部５０がその元の位置に戻ることが出来る。好ましい位置合わせシステム７６の一つとしては、腕部５０又は基部４０の一方から対向する部材と噛み合うように突出された少なくとも１つのボールプランジャー又はバネ付きピン８０を含んでいる。図示されたブリッジ部２２の実施例では、ボールプランジャー８０が基部４０のネジ切りされた開口８１内に配置されている。ボールプランジャー８０は、外側にネジが切られた表面を有しており、腕部５０内の戻止め８４に向かって突出している。好ましくは、第２のボールプランジャー８２と第２の戻止め８６が、クランプ機構６４の軸部７０の対向する側に設けられている。第２のボールプランジャー８２は、ネジが切られた開口８３内に配置されている。ボールプランジャー８０、８２は、各々、バネで負荷が掛けられた、例えば、丸い形状の端部を有しており、この端部は内部のバネによって延長位置に向かってバイアスされている。腕部５０が図９に示される位置から遠ざかって回転する間、このバネで負荷が掛けられた端部はボールプランジャー本体内に押し込まれており、これにより各ボールプランジャー８０、８２は戻止め８４、８６から開放されている。
使用中において、クランプ機構６４は緩められており、それ故、使用者は、クランプ機構６４によって腕部５０や基部４０を所定の位置に保持するように働く摩擦力に抗して打ち勝つことが出来る。使用者は、腕部５０を回転するためにハンドル６０を回す。腕部５０の回転により、ボールプランジャー８０、８２は、戻止め８４、８６から開放されることとなり、腕部５０が基部４０に対して回転可能になる。かかる回転により、インジェクター２６の下に破損領域が位置するようにすることが出来る。腕部５０がその元の位置に向って回し戻される時には、使用者は、元の位置になったことを、ボールプランジャー８０、８２が戻止め８４、８６に再度噛み合うことから認識することが出来る。腕部５０が一旦その元の位置に戻されると、必要に応じて、クランプ機構６４を再度硬く締め付けることが出来る。ハンドル６０は、利便的に、例えば図７や９に示す通常の動作位置から引き出される。この位置合わせシステム７６は、最初に破損領域の上に配置し、次にこれを取り除いた後にも、インジェクター２６を再び元の位置に正確に配置することを可能にする。
好適な吸着カップ２４は、カップ下部９２から空気を引き抜くための真空ポンプ機構９０を備えている。基部４０のチャンバー（室）８８には、真空ポンプ機構９０の長いシリンダー部９４が受容されている。往復動が可能に取り付けられたポンプボタン９６が、使用者によってカップ下部９２から空気を引き抜くために操作される。カップ下部９２上のバンプ（隆起）部９８は、ブリッジ部２２を取り外す際に、使用者がこれを掴んで真空から開放するものである。これに替えて、吸着カップ２４は、例えばクランク機構などにより、フロントガラス３０に向けて近づきそしてそれから離れ、もって、まずフロントガラスに取り付けてから吸着カップ中央部をフロントガラスから引き離すことにより真空を作るように、選択的に移動可能なようにブリッジ部２２に取り付けることも出来る。
さて、図１６〜２１には、インジェクター２６の特徴がより詳細に示されている。インジェクター２６は、先端部１０２と、反対側端部１０４とを備えた本体１００を備えている。外表面１０６が先端部１０２から反対側端部１０４まで延びている。２つのバイオネット部１０８、１１０が外表面１０６から突出している。バイオネット部１０８、１１０からは離れて、第１のショルダー部１１２があり、バイオネット部１０８、１１０からは更に離れて第２のショルダー部１１５を形成する拡大領域１１４がある。この第１のショルダー部１１２と拡大領域１１４との間には、円周溝部１１６がある。
本体１００の内側面１１７が、先端部１０２から端部１０４までの通路を形成している。先端１０２に近接して、フロントガラス３０と封止的に取り付くように本体１００から突出した弾性の内側スリーブ又は付属品１１８が配置されている。弾性の内側スリーブ１１８は、圧力（＋又は−）を加えて破損補修材１１９を充填するために、破損領域の周囲に封止的に取り付けることを容易にしている。
弾性のストッパー部１２０が、本体１００の反対側端部１０４の内部通路を閉止している。ストッパー部１２０は、本体１００の反対側端部１０４と噛み合い可能な円形のフランジ部１２２を備えている。ストッパー部１２０の中央通路１２５は、本体１００の軸部と同軸的になっている。この軸部からずれて（オフセットして）、中央本体部分１２４から延びるニップル部１２８を含んだ第２の通路１２６が形成されている。好ましくは、ニップル部１２８は配管１２８ａを介して、空気圧に対して正の圧力源、そして、負の圧力すなわち真空源に取り付けが可能になっている。中央通路１２５には、図２１に示すように、機械的な探り針１２９が受容可能である。ストッパー部１２０の内側シール部１３４が、使用中において、探り針１２９に対するシールを行う。
これに替えて、ストッパー部１２０の代わりに、本体１００の内側面１１７に内ネジ部１１７ａを設け、既にその内容を引用して一体に含めた米国特許第４，２９１，８６６号を開示されたように、外側にネジを切ったプランジャーにより本体１００の使用を容易にすることも可能である。
ストッパー部１２０は、また、フランジ部１２２から離れて周辺リップシール部１３０を備えている。リップシール部１３０は可撓的であり、中央本体部分１２４の端部から突出している。使用に際しては、リップシール部１３０は本体１００の内側面と封止的に噛み合っている。リップシール部１３０は、チャンバー（内室）１３２内に圧力を加えることを可能にするため、インジェクター２６内のチャンバー（内室）１３２を封止している。
クリップ部１４０が、ストッパー部１２０を本体１００に固定している。クリップ部１４０は、第１と第２の腕部１４２、１４４と、弾性の中央バネ部１４６とを有しており、弾性の中央バネ部が第１と第２の腕部１４２、１４４を図１９及び図２０に示す位置にバイアス（偏位）させている。クリップ部１４０は、２つの上部の内側に突出したフランジ部１４８と、そして、２つの下部の内側に突出したフランジ部１５０を含んでいる。これらの上部フランジ部１４８と下部フランジ部１５０は、拡大領域１１４とインジェクター２６の本体１００にストッパー部１２０を固定するためのストッパー部１２０の上面（頂上面）とを受容するためのチャンバー（内室）を形成するように、離れて距離を保って配置されている。腕部１４２、１４４の開放端部は、本体１００とストッパー部１２０を受容するように、別々に移動することが可能である。中央のバネ部１４６が、腕部１４２、１４４を回転して、クリップ部１４０をインジェクター２６に固定する。好ましくは、クリップ部１４０は、本体１００とストッパー部１２０にクリップ部１４０を取り付け及び取り外すためのつまみ（タブ）部１５２を備えている。クリップ部１４０は一体に構成にしてもよい。
インジェクター環部（カラー）１６０は、インジェクター２６をブリッジ部２２の取り付ける。インジェクター環部１６０は、腕部５０のネジ溝が切られた開口５４のネジに螺合的に噛み合う外部ネジ溝１６２を有している。ギザギザが刻まれた領域１６４が、インジェクター環部１６０を腕部５０に対して回転するための握り面を提供している。インジェクター環部１６０を腕部５０に対して回転することにより、インジェクター２６の高さを調整可能とすることが出来る。このような構成によれば、インジェクター２６をブリッジ部２２に対して常に直角にして、その高さを調整することが可能になる。なお、上記米国特許第４，２９１，８６６号に開示されたような、インジェクター２６を非直角に配置することが出来る取付け装置も、また、好ましいであろう。
インジェクター２６をインジェクター環部１６０に取り付けるために、インジェクター２６をインジェクター環部１６０に挿入する際に、インジェクター環部１６０のスロット１６６、１６７内には、それぞれ、バイオネット部１０８、１１０が受容されている。この挿入に続いて、インジェクター２６とバイオネット部１０８、１１０は９０度回転され、そして、それぞれ溝部１６８、１６９内に配置される。インジェクター環部１６０に取り付けられた発泡材のリング部１７０がバイオネット部１０８、１１０を偏位（バイアス）させて、溝部１６８、１６９内に留まらせるようにしている。好ましくは、この発泡材リング部１７０は、ウレタンなど、凝結抵抗性の構造のものである。インジェクター２６の第１のショルダー部１１２が発泡材リング部１７０と噛み合い、そして、発泡材リング部１７０と接触又は緩衝しないように、クリップ部１４０を距離を離して配置している。クリップ部１４０の低いフランジ１５０は、インジェクター２６の溝部１１６内に配置される。好ましくは、発泡材リング部１７０は、インジェクターをインジェクター環部に取り付けるためにインジェクターを回転する際、インジェクターとの接触から保護するための、ナイロンの上面シートを備えている。発泡材リング部１７０の底部には、このリング部１７０をインジェクター環部１６０に強固に取り付けるための感圧性の接着剤を備えている。
図２３〜３７は、フロントガラスの修理の際に、上記に記載した装置２０と同様な方法で使用される、第２の好適な実施例になるフロントガラス修理装置２２０を示している。この第２の実施例になる装置２２０は、第１の実施例とは、幾つかの領域において異なっている。第１に、第２の実施例では、その位置決めシステムを異なる場所に配置している。第２に、クランプ機構６４が除かれている、そして、腕部の回転を可能にするために、スラストベアリングを備えた自動的に締まるネジが付加されている。第３に、腕部の正面部分には、ヒンジ部と、必要に応じてインジェクターをフロントガラスに近づけ及び離して移動する調整機構とが設けられている。第４に、インジェクターが、インジェクター環部を介することなく、直接、腕部に取り付けられている。
装置２２０は、上記吸着カップ２４と同様に、吸着カップ２２４によってフロントガラス２９０に取り付いている支持装置又はブリッジ部２２２を備えている。図に示すように、フロントガラス２９０は、一般的に、装置２２０の下では平坦になっている。インジェクター２２６は、上記したインジェクター２６と同様に、フロントガラス修理装置２２０の正面端部に配置されている。インジェクター２２６は、ブリッジ部２２２に取り付けるため、バイオネットや環部（カラー）の構成に代えて、ネジ溝２２７を備えている。フロントガラス２９０に取り付けるため、インジェクター２２６はブリッジ部２２２に対して回転され、それにより、内側スリーブ２２８が、上記と同様な方法で、フロントガラス２９０に封止的に取り付いている。インジェクター２２６が、支持部なしに示されている。インジェクター２２６は、上記と同様に、ストッパーと一緒に使用することが可能である。ブリッジ部２２２の基部２４０は、吸着カップ２２４に取り付けられている。インジェクター保持部又は腕部２５０が、軸部２５１を形成するヒンジ部２４６において、基部２４０に対して軸旋回可能に取り付けられている。腕部２５０は、矢印Ａ又はＢのいずれかの方向に移動することが可能である（図２３）。
腕部２５０は、正面端部２５２と、ハンドル又はレバー部２７２を備えている。図に示された好ましい実施例では、正面端部２５２が、矢印Ｃの方向へ移動するために、ヒンジ部２５４でハンドル部２７２に連結されている。
位置決めシステム２７６が、基部２４０に対して所定の位置に腕部２５０を保持している。位置決めシステム２７６は、例えば、破損箇所を検査するためなど、必要により取外しが可能である。位置決めシステム２７６を取り外すことにより、腕部２５０が基部２４０に対して軸部２５１の周りに回転することが出来る。軸部２５１は、フロントガラス２９０に対してほぼ直角になっている。軸部２５１は、吸着カップ２２４の中央軸２２５に対してほぼ平行になっている。破損箇所を検査又は近接した後には、使用者は、腕部２５０を位置決めシステム２７６により元の位置に戻す。装置２２０の位置決めシステム２７６は、腕部２５０に取り付けられたボールプランジャー又はバネで負荷されたピン部２８０と、基部２４０上の戻り止め部２８４を備えている。必要であれば、ピン部２８０と戻り止め部２８４の位置は反転することが可能である。
ネジが切られた自動的に締まるネジ３３０が、回転軸２５１を形成するために腕部２５０を基部２４０に取り付けている。好ましくは、ネジ３３０は、腕部２５０のネジを切った開口３６０内に配置されるネジを固定する軸部３３２の上にナイロンのパッチを備えた、自動的に締まるボタンヘッド式のネジがある。この第２の好適な実施例では、ディスクワッシャー３３８、３４０によって取り囲まれた上側のベアリング３３６と、ディスクワッシャー３４４、３４６によって取り囲まれた下側のベアリング３３６により、位置決めシステム２７６が取り外された時に、腕部２５０が基部２４０に対して軸旋回できるようになっている。ベアリング３３６、３４２は、好ましくは、スラストベアリングであり、ニードルローラとケージを組み合わせた型である。ネジ３３０の頭部（ヘッド）３３４は、基部２４０の凹部３５８内に受容されている。ネジ３３０は、また、基部２４０の開口３５９を貫通している。下側のベアリング３４２とワッシャー３４４、３４６も、また、凹部３５８内に配置されている。上側のベアリング３３６とワッシャー３３８は、ハンドル部２７２の凹部３６２内に配置されている。ネジ３３０により、ベアリング３３６、３４２の各々の上に所定の負荷がかけられる。
位置決めシステム２７６のボールプランジャー２８０が、腕部２５０の後端３５０に配置されている。好ましくは、ボールプランジャー２８０は、腕部２５０の端３５０の開口３５２内に圧入されている。ボールプランジャー２８０は、軸２５１とは横断する軸３５１の方向に移動する（図２３）。戻り止め２８４は、好ましくは、ボールプランジャーのボールにはまり合う凹端部２８７を備えたネジが切られたピン２８６を備えており、このピンの他端２２８は、工具とかみ合う形状となっている。ネジが切られたピン２８６が、基部２４０のフランジ部３５４のネジが切られた開口に配置されている。ネジが切られたピン２８６により、プランジャー２８０に対するピン２８６の位置が調整可能となる。
好ましくは、フロントガラス修理装置２２０の正面端部２５２は、ネジが切られた調整機構を使用することによって、矢印Ｃの方向に（図２２）に、フロントガラスに近づきそして離れて移動することが可能になっている。図２７は、移動可能な正面端部２５２が移動し、その結果、インジェクター２２６が、上記とは違うフロントガラス２９１の湾曲部分２９２に取り付いている状態を示している。正面端部２５２は、下側の部分３９６と上側の部分４００とを備えている。下側の部分３９６は、インジェクター２２６を内部に受容するためのネジが切られた開口３９８を備えている。上側の部分４００は、開口４０３内に圧入される軸部４０５を備えたプラスチックのボタン部４０４を備えている。ねじり（トーション）コイルバネ４０６が、上側の部分４００を、ハンドル部２７２に螺合して取り付けられた調整ネジ部４１４とかみ合うように偏位（バイアス）している。ネジ部４１４の頭部４１６は、ボタン部４０４にかみ合っている。軸部４１８は、ハンドル部２７２のネジが切られた開口４２２と螺合するためのネジ溝を備えている。調整ネジ部４１４のギザギザが刻まれたホイール４２０が、軸部４１８を矢印Ｄ（図２５、２５）で示す方向へ手動で回転し、そして、ハンドル部２７２に対して正面端部２５２の位置を調整するための把持面を提供している。バネによってバイアスされた調整ネジ部４１４に代えて、反対方向に回転するネジが切られた２本の軸部を有する締め金具（ターンバックル）（図示せず）も、また、ハンドル部２７２に対して正面端部２５２の位置を調整するために使用することが出来る。
正面端部２５２とハンドル部２７２との間のヒンジ部２５４は、正面端部２５２の開口３９５と、ハンドル部２７２の各Ｕリンク腕部３９７を貫通する開口３９６とを貫通するピン３９３を備えている。ねじりバネ４０６が、正面端部２５２を介してギャップ４３０内に配置され、バネ４０６のコイルもまたピン３９３の周囲に配置されている。バネ４０６の一端４０８が、正面端部２５２の表面４３２に対向して位置しており、他端部４１０は、ハンドル部２７２に対向して開口４４０内に位置している。ねじりバネ４０６は、ネジ部４１４の頭部４１６とかみ合っているボタン４０４にバイアスをかけている。
本発明の多くの特徴や利点が、本発明の詳細な構造や機能と共に、以上の記載によって明らかにされたが、その開示内容は説明のためだけであり、そして、多くの変更が、詳細には、特に各部の形状、寸法、そして配置に関して、添付の特許請求の範囲が表現する用語の広範でかつ一般的な意味により示される全ての範囲にわたる本発明の原理内において、なされ得るであろうことが理解される。
【図１】
0003917667.tif 000002
【図２】
0003917667.tif 000003
【図３】
0003917667.tif 000004
【図４】
0003917667.tif 000005
【図５】
0003917667.tif 000006
【図６】
0003917667.tif 000007
【図７】
0003917667.tif 000008
【図８】
0003917667.tif 000009
【図９】
0003917667.tif 000010
【図１０】
0003917667.tif 000011
【図１１】
0003917667.tif 000012
【図１２】
0003917667.tif 000013
【図１３】
0003917667.tif 000014
【図１４】
0003917667.tif 000015
【図１５】
0003917667.tif 000016
【図１６】
0003917667.tif 000017
【図１７】
0003917667.tif 000018
【図１８】
0003917667.tif 000019
【図１９】
0003917667.tif 000020
【図２０】
0003917667.tif 000021
【図２１】
0003917667.tif 000022
【図２２】
0003917667.tif 000023
【図２３】
0003917667.tif 000024
【図２４】
0003917667.tif 000025
【図２５】
0003917667.tif 000026
【図２６】
0003917667.tif 000027
【図２７】
0003917667.tif 000028
【図２８】
0003917667.tif 000029
【図２９】
0003917667.tif 000030
【図３０】
0003917667.tif 000031
【図３１】
0003917667.tif 000032
【図３２】
0003917667.tif 000033
【図３３】
0003917667.tif 000034
【図３４】
0003917667.tif 000035
【図３５】
0003917667.tif 000036
【図３６】
0003917667.tif 000037
【図３７】
0003917667.tif 000038